(57)【要約】【解決手段】つま先部１、かかと部２をパイル編み組織にし、その間の土踏まず部３の前側と後側とにほぼ均等状態に、一定幅で複数の凹凸帯ａ、ｂを形成する。これら複数の凹凸帯ａ、ｂのうち凸状部分ｂがパイル編み組織、凹状部分ａはパイル編み組織とは異なる編み方で、凸状部分ｂが凹状部分ａより出っ張っている。【効果】この靴下を着用して靴を履いた場合には、一定幅で形成されている複数の凹凸帯ａ、ｂによって靴と靴下との間に隙間ができる。従って、空気の出入りが促進され、履いた靴の前側と後側とにおいてエアレーション効果が増大する。また、一定幅で形成されている複数の凹凸帯によって、すべり止め効果も出る。特に、滑り易い素材、ハイテク素材からなる靴下を着用した場合でも、足下が滑りにくくなるのみならず、吸汗・速乾作用が妨害されることなくエアレーション効果が増大する。【選択図】図１
0003121397.tif 000002
【実用新案登録請求の範囲】
【請求項１】
少なくとも靴下底部の外表面において、一定幅で複数の凹凸帯が形成されていることを特徴とする靴下。
【請求項２】
凹凸帯が土踏まず部の前側と後側とに形成されていることを特徴とする請求項１記載の靴下。
【請求項３】
土踏まず部の前側にある凹凸帯は、底部から甲側に至る全周にわたって形成されていることを特徴とする請求項２記載の靴下。
【請求項４】
凹凸帯が異なる編み方により形成されることを特徴とする請求項１〜３のいずれかに記載の靴下。
【請求項５】
凹凸帯が同じ編み方で厚さを異ならしめることにより形成されることを特徴とする請求項１〜３のいずれかに記載の靴下。
【請求項６】
凹凸帯がパイル長を異ならしめることにより形成されることを特徴とする請求項１〜３のいずれかに記載の靴下。
【考案の詳細な説明】
【技術分野】
【０００１】
本考案は、少なくとも靴下底部の外表面に凹凸帯が一定幅で複数形成された靴下に関するものである。
【背景技術】
【０００２】
靴下の少なくとも底部をパイル編みとし、弾力性を持たせた靴下が知られている（例えば、特許文献１、２参照）。
【０００３】
【特許文献１】実開昭６０−１６５４０５号公報（図１〜図４）
【０００４】
【特許文献２】登録実用新案第３０３７２０７号公報（図２）
【０００５】
また、靴下底部の内面側をパイル編みとし、そのパイル長さを異ならしめた靴下も知られている（例えば、特許文献３参照）。
【０００６】
【特許文献３】実開昭５８−６８９０４号公報（図１）
【０００７】
これらに見られる靴下は、いずれも靴下底部のうち、例えば、つま先部、土踏まず部、かかと部の少なくとも１つの部位をパイル編みとして弾力性を持たせたものである。そして、それらのうちの１つの部位の高さ（厚さ）を他の部位と異ならしめるには、通常、その部位のパイル長を異ならしめる方式を採っている。
【考案の開示】
【考案が解決しようとする課題】
【０００８】
しかしながら、１つの部位のパイル長を異ならしめるだけでは、この靴下を着用して靴を履いたときの通気性に欠けるのみならず、すべり止め効果が得られないという欠点がある。
【０００９】
特に、昨今、吸汗・速乾などのいわゆるハイテク素材が開発され、そのほとんどのものが合成繊維系で、素材そのものが滑らかで滑り易くなっている。このような滑り易い素材からなる靴下を着用した場合にも、足下が滑りにくくすることが望まれている。
【００１０】
また、スポーツをするに当って足下を快適にするには、足からの発汗を速やかに取り除くことが有効であるが、単にハイテク素材の靴下を履いただけでは、靴で密閉された状態にあるので、吸汗・速乾作用が妨害されてしまう。このような場合においても、吸汗・速乾作用が妨害されないように工夫することが望ましい。
【課題を解決するための手段】
【００１１】
上記欠点を解決し、また、上記要望に応えるために、本考案では、少なくとも靴下底部の外表面において、一定幅で複数の凹凸帯が形成されている。この靴下を着用して靴を履いた場合には、一定幅で形成されている複数の凹凸帯によって靴と靴下との間に隙間ができるので、空気の出入りが促進され、エアレーション効果が増大する。また、一定幅で形成されている複数の凹凸帯によって、すべり止め効果も出る。
【００１２】
特に、滑り易い素材、ハイテク素材からなる靴下を着用した場合でも、本考案のように一定幅で複数の凹凸帯が形成されておれば、足下が滑りにくくなるのみならず、吸汗・速乾作用が妨害されることなくエアレーション効果が増大する。
【００１３】
凹凸帯が土踏まず部の前側と後側とに形成されていることが好ましい。この場合には、履いた靴の前側と後側とにおいて上記効果（エアレーション効果およびすべり止め効果）がいずれも発揮されるので、より効果的である。
【００１４】
土踏まず部の前側にある凹凸帯は、底部から甲側に至る全周にわたって形成されていることが好ましい。この場合には、履いた靴の前側の底側と甲側の両方において上記効果（エアレーション効果およびすべり止め効果）がいずれも発揮されるので、より効果的である。
【００１５】
凹凸帯が異なる編み方により形成されることが好ましい。この場合には、一定幅で複数の凹凸帯を容易に形成することができる。
【００１６】
凹凸帯が同じ編み方で厚さを異ならしめることにより形成されることが好ましい。この場合にも、一定幅で複数の凹凸帯を容易に形成することができる。
【００１７】
凹凸帯がパイル長を異ならしめることにより形成されることが好ましい。この場合にも、一定幅で複数の凹凸帯を容易に形成することができる。
【考案の効果】
【００１８】
請求項１記載の靴下を着用して靴を履いた場合には、一定幅で形成されている複数の凹凸帯によって靴と靴下との間に隙間ができるので、空気の出入りが促進され、エアレーション効果が増大するという利点がある。また、一定幅で形成されている複数の凹凸帯によって、すべり止め効果も出るという利点がある。
【００１９】
特に、滑り易い素材、ハイテク素材からなる靴下を着用した場合でも、本考案のように一定幅で複数の凹凸帯が形成されておれば、足下が滑りにくくなるのみならず、吸汗・速乾作用が妨害されることなくエアレーション効果が増大する。
【００２０】
請求項２記載の靴下を着用して靴を履いた場合には、靴の前側と後側とにおいて上記効果（エアレーション効果およびすべり止め効果）がいずれも発揮されるので、より効果的である。
【００２１】
請求項３記載の靴下を着用して靴を履いた場合には、靴の前側の底側と甲側の両方において上記効果（エアレーション効果およびすべり止め効果）がいずれも発揮されるので、より効果的である。
【００２２】
請求項４〜６のいずれかに記載の考案によれば、一定幅で複数の凹凸帯を容易に形成することができるという利点がある。
【考案を実施するための最良の形態】
【００２３】
本考案を実施するための最良の形態の一例について、図面を参照しながら詳細に説明する。ここには、図面に示すように、つま先部１、かかと部２をパイル編み組織にし、その間の土踏まず部３を除く部分において、一定幅で複数の凹凸帯ａ、ｂを形成した場合が例示されている。これら複数の凹凸帯ａ、ｂのうち凸状部分ｂがパイル編み組織にしてあって、凹状部分ａより出っ張っている。
【００２４】
ここに例示する靴下を着用して靴を履いた場合には、一定幅で形成されている複数の凹凸帯によって靴と靴下との間に隙間ができるので、空気の出入りが促進され、エアレーション効果が増大する。また、一定幅で形成されている複数の凹凸帯によって、すべり止め効果も出る。
【００２５】
特に、滑り易い素材、ハイテク素材からなる靴下を着用した場合でも、このように一定幅で複数の凹凸帯が形成されておれば、足下が滑りにくくなるのみならず、吸汗・速乾作用が妨害されることなくエアレーション効果が増大する。
【００２６】
また、ここには、凹凸帯ａ、ｂが土踏まず部３の前側と後側とにほぼ均等状態に形成された場合が例示されている。この場合には、履いた靴の前側と後側とにおいて上記効果（エアレーション効果およびすべり止め効果）がいずれも発揮されるので、より効果的である。
【００２７】
さらに、ここには、土踏まず部３の前側にある凹凸帯ａ、ｂは、底４側から甲５側に至る全周にわたって形成された場合が例示されている。この場合には、履いた靴の前側の底４側と甲５側の両方において上記効果（エアレーション効果およびすべり止め効果）がいずれも発揮されるので、より効果的である。
【００２８】
なお、土踏まず部３の前側と後側とにほぼ均等状態に形成されている凹凸帯ａ、ｂのうち後側の凹凸帯ａ、ｂは、前側の場合とは異なって甲５側の全周にはわたっておらず、靴下の底４側と甲５側の中間部分で終わっている。
【００２９】
また、ここには、凹状部分ａをパイル編み組織としないで例えば平編み組織として凸状部分ｂとの編み組織を異ならしめることにより、パイル編み組織でない凹状部分ａとパイル編み組織である凸状部分ｂとの高さを異ならしめた場合が例示されている。
【００３０】
凹凸帯ａ、ｂを同じ編み方とし、その厚さを異ならしめることにより、凹凸帯ａ、ｂの高さを異ならしめてもよい。また、凹凸帯ａ、ｂをいずれもパイル編み組織とし、それぞれのパイル長を異ならしめることにより、凹凸帯ａ、ｂの高さを異ならしめてもよい。いずれの場合にも、一定幅で複数の凹凸帯ａ、ｂを容易に形成することができる。
【００３１】
なお、ここでは、土踏まず部３にゴム入りサポートｃを設けて、足の土踏まず部分を締め付けることができるようにしてある。また、靴下の甲５側のほとんどの部分、すなわち、靴下の甲５側にかかるゴム入りサポートｃ部分と複数の凸状部分ｂ、ｂを除く部分を、メッシュ編みにして通気性が良くなるように工夫してある。
【図面の簡単な説明】
【００３２】
【図１】本考案による靴下の一例を示す正面図である。
【符号の説明】
【００３３】
１…つま先部、２…かかと部、３…土踏まず部、４…底、５…甲、ａ…凹、ｂ…凸、ｃ…ゴム入りサポート、ｄ…メッシュ。
【図１】
0003121397.tif 000003